(57)【要約】【課題】第１ハウジングと第２ハウジングとの嵌合状態を容易に検知することができるコネクタを提供する。【解決手段】コネクタ１において、パネル３に組付けられる第１ハウジング５と、第１ハウジング５に嵌合可能な第２ハウジング７と、第２ハウジング７の外周を覆いパネル３に密着されるリップ部９を有するグロメット１１と、第２ハウジング７の外周に回動可能に配置されグロメット１１のリップ部９側が組付けられパネル３に対して傾斜した状態で第２ハウジング７に対する回動が規制されたフランジ部１３と、第１ハウジング５と第２ハウジング７とが正規に嵌合した状態でフランジ部１３を回動可能としリップ部９をパネル３に密着させる嵌合検知手段１５とを有した。【選択図】図３
2020202017.tif 000002
【特許請求の範囲】
【請求項１】
パネルに組付けられる第１ハウジングと、
前記第１ハウジングに嵌合可能な第２ハウジングと、
前記第２ハウジングの外周を覆い前記パネルに密着されるリップ部を有するグロメットと、
前記第２ハウジングの外周に回動可能に配置され前記グロメットの前記リップ部側が組付けられ前記パネルに対して傾斜した状態で前記第２ハウジングに対する回動が規制されたフランジ部と、
前記第１ハウジングと前記第２ハウジングとが正規に嵌合した状態で前記フランジ部を回動可能とし前記リップ部を前記パネルに密着させる嵌合検知手段と、
を有することを特徴とするコネクタ。
【請求項２】
請求項１記載のコネクタであって、
前記第２ハウジングと前記フランジ部との間には、撓み可能に設けられた係合部と、前記係合部が係合され前記第２ハウジングに対する前記フランジ部の回動を規制する被係合部とが設けられ、
前記嵌合検知手段は、前記第１ハウジングに設けられ、前記係合部を撓ませ前記係合部と前記被係合部との係合を解除させる解除部を有することを特徴とするコネクタ。
【請求項３】
請求項１又は２記載のコネクタであって、
前記第２ハウジングには、前記フランジ部の過大な回動を規制する規制部が設けられていることを特徴とするコネクタ。
【発明の詳細な説明】
【技術分野】
【０００１】
本発明は、コネクタに関する。詳細には、詳細には、一方のハウジングがパネルに組付けられ、他方のハウジングがグロメットで覆われた状態でハウジング同士が嵌合するコネクタに関する。
【背景技術】
【０００２】
従来、コネクタとしては、パネルに組付けられる第１ハウジングと、第１ハウジングに嵌合可能な第２ハウジングと、第２ハウジングの外周を覆いパネルに密着されるリップ部としての弾性シール片を有するグロメットとを備えたものが知られている（例えば、特許文献１参照）。
【０００３】
このコネクタでは、第２ハウジングの外周に、グロメットを組付けるためのフランジ部が第２ハウジングと一体に設けられ、第１ハウジングがパネルに組付けられ、グロメットが第２ハウジングのフランジ部に組付けられている。
【０００４】
このようなコネクタでは、第１ハウジングに対して第２ハウジングを嵌合させることにより、第２ハウジングのフランジ部に組付けられたグロメットの弾性シール片が、パネルの表面に密着し、パネルの第１ハウジング側と第２ハウジング側とを区画する。
【先行技術文献】
【特許文献】
【０００５】
【特許文献１】特開２０１０−１２９２５６号公報
【発明の概要】
【発明が解決しようとする課題】
【０００６】
しかしながら、上記特許文献１のようなコネクタでは、第１ハウジングと第２ハウジングとが嵌合した状態で、第２ハウジングの外周を覆うグロメットのリップ部がパネルに密着してしまうので、第１ハウジングと第２ハウジングとの嵌合状態を視認することができなかった。
【０００７】
このため、第１ハウジングと第２ハウジングとの嵌合状態を検知するためには、第１ハウジングと第２ハウジングとを嵌合させた後、第２ハウジングを第１ハウジングから離脱させる方向に引っ張る作業が必要となるなど、嵌合状態を検知することが煩雑になっていた。
【０００８】
そこで、この発明は、第１ハウジングと第２ハウジングとの嵌合状態を容易に検知することができるコネクタの提供を目的としている。
【課題を解決するための手段】
【０００９】
請求項１記載の発明は、パネルに組付けられる第１ハウジングと、前記第１ハウジングに嵌合可能な第２ハウジングと、前記第２ハウジングの外周を覆い前記パネルに密着されるリップ部を有するグロメットと、前記第２ハウジングの外周に回動可能に配置され前記グロメットの前記リップ部側が組付けられ前記パネルに対して傾斜した状態で前記第２ハウジングに対する回動が規制されたフランジ部と、前記第１ハウジングと前記第２ハウジングとが正規に嵌合した状態で前記フランジ部を回動可能とし前記リップ部を前記パネルに密着させる嵌合検知手段とを有することを特徴とするコネクタである。
【００１０】
このコネクタでは、第１ハウジングと第２ハウジングとが正規に嵌合した状態でフランジ部を回動可能としリップ部をパネルに密着させる嵌合検知手段を有するので、第１ハウジングと第２ハウジングとの正規嵌合状態ではフランジ部が回動され、リップ部がパネルに密着される。
【００１１】
一方、第１ハウジングと第２ハウジングとが正規に嵌合していない状態では、フランジ部が回動されず、リップ部がパネルに密着されない。
【００１２】
従って、このようなコネクタでは、第１ハウジングと第２ハウジングとの嵌合状態をフランジ部の回動の可否によって検出することができ、第１ハウジングと第２ハウジングとの嵌合状態を容易に検知することができる。
【００１３】
請求項２記載の発明は、請求項１記載のコネクタであって、前記第２ハウジングと前記フランジ部との間には、撓み可能に設けられた係合部と、前記係合部が係合され前記第２ハウジングに対する前記フランジ部の回動を規制する被係合部とが設けられ、前記嵌合検知手段は、前記第１ハウジングに設けられ、前記係合部を撓ませ前記係合部と前記被係合部との係合を解除させる解除部を有することを特徴とする。
【００１４】
このコネクタでは、嵌合検知手段が、第１ハウジングに設けられ、係合部を撓ませ係合部と被係合部との係合を解除させる解除部を有するので、第１ハウジングと第２ハウジングとの嵌合状態に合わせて、係合部と被係合部との係合解除の可否を安定して行うことができる。
【００１５】
請求項３記載の発明は、請求項１又は２記載のコネクタであって、前記第２ハウジングには、前記フランジ部の過大な回動を規制する規制部が設けられていることを特徴とする。
【００１６】
このコネクタでは、第２ハウジングに、フランジ部の過大な回動を規制する規制部が設けられているので、フランジ部の回動スペースを制限することができ、大型化を抑制することができる。
【発明の効果】
【００１７】
本発明によれば、第１ハウジングと第２ハウジングとの嵌合状態を容易に検知することができるコネクタを提供することができるという効果を奏する。
【図面の簡単な説明】
【００１８】
【図１】本発明の実施の形態に係るコネクタの第１ハウジングと第２ハウジングとが正規に嵌合したときの側面図である。
【図２】図１のグロメットを取り外したときの側面図である。
【図３】図１の断面図である。
【図４】本発明の実施の形態に係るコネクタの第１ハウジングと第２ハウジングとを嵌合させるときの側面図である。
【図５】図４のグロメットを取り外したときの側面図である。
【図６】図４の断面図である。
【図７】本発明の実施の形態に係るコネクタの第１ハウジングと第１端子の斜視図である。
【図８】本発明の実施の形態に係るコネクタの第１ハウジングをパネルに組付けたときの側面図である。
【図９】本発明の実施の形態に係るコネクタの第２ハウジングの側面図である。
【図１０】本発明の実施の形態に係るコネクタの第２ハウジングとフランジ部と第２端子の斜視図である。
【図１１】本発明の実施の形態に係るコネクタの第２ハウジングにフランジ部を組付けたときの側面図である。
【発明を実施するための形態】
【００１９】
図１〜図１１を用いて本発明の実施の形態に係るコネクタについて説明する。
【００２０】
本実施の形態に係るコネクタ１は、パネル３に組付けられる第１ハウジング５と、第１ハウジング５に嵌合可能な第２ハウジング７と、第２ハウジング７の外周を覆いパネル３に密着されるリップ部９を有するグロメット１１と、第２ハウジング７の外周に回動可能に配置されグロメット１１のリップ部９側が組付けられパネル３に対して傾斜した状態で第２ハウジング７に対する回動が規制されたフランジ部１３と、第１ハウジング５と第２ハウジング７とが正規に嵌合した状態でフランジ部１３を回動可能としリップ部９をパネル３に密着させる嵌合検知手段１５とを有する。
【００２１】
また、第２ハウジング７とフランジ部１３との間には、撓み可能に設けられた係合部１７と、係合部１７が係合され第２ハウジング７に対するフランジ部１３の回動を規制する被係合部１９とが設けられている。
【００２２】
そして、嵌合検知手段１５は、第１ハウジング５に設けられ、係合部１７を撓ませ係合部１７と被係合部１９との係合を解除させる解除部２１を有する。
【００２３】
さらに、第２ハウジング７には、フランジ部１３の過大な回動を規制する規制部２３が設けられている。
【００２４】
図１〜図１１に示すように、パネル３は、車両のドアなどに配置され、パネル３の一面側が被水領域となっており、パネル３の他面側が車室側などの非被水領域となっている。
【００２５】
このパネル３の非被水領域側には、第１ハウジング５が配置され、被水領域側には、第２ハウジング７が配置される。
【００２６】
このようなパネル３には、一面側と他面側とを貫通して組付穴２５が設けられ、この組付穴２５に第１ハウジング５が組付けられる。
【００２７】
第１ハウジング５は、合成樹脂などの絶縁性材料からなり、端子収容室２７と、パネル取付部２９と、係止部３１とを備えている。
【００２８】
端子収容室２７は、第１ハウジング５の内部に、第２ハウジング７との嵌合方向に向けて延設され、幅方向に複数列設けられると共に、高さ方向に複数段設けられている。
【００２９】
この端子収容室２７には、電線３３の端末部に電気的に接続された箱状の接続部を有する雌型端子からなる第１端子３５がそれぞれ収容される。
【００３０】
なお、端子収容室２７内には、第１端子３５と係合する係止ランス（不図示）やスペーサ３７が設けられており、端子収容室２７からの第１端子３５の抜け止めがなされる。
【００３１】
パネル取付部２９は、第１ハウジング５のパネル３側の外周に、フランジ状に形成され、外径がパネル３の組付穴２５の内径より大きく設定されている。
【００３２】
このパネル取付部２９は、第１ハウジング５をパネル取付部２９と反対側からパネル３の組付穴２５に挿入することにより、組付穴２５の縁部に当接され、第１ハウジング５の組付穴２５からの抜け止めがなされる。
【００３３】
係止部３１は、第１ハウジング５の高さ方向の両側に、それぞれ撓み可能に設けられ、第１ハウジング５をパネル３の組付穴２５に挿入した状態で、パネル３を挟んでパネル取付部２９と対向して配置される。
【００３４】
この係止部３１は、第１ハウジング５の高さ方向の一側をパネル３の組付穴２５に挿入することにより、一方の係止部３１が撓んだ後の復元力によって組付穴２５の縁部に係合され、第１ハウジング５の高さ方向の他側をパネル３の組付穴２５に挿入することにより、他方の係止部３１が撓んだ後の復元力によって組付穴２５の縁部に係合される。
【００３５】
このように係止部３１をパネル３の組付穴２５に係合させることにより、第１ハウジング５がパネル３に組付けられ、パネル３に対して第１ハウジング５が第２ハウジング７と嵌合する前の待ち受け状態が保持される。
【００３６】
第２ハウジング７は、合成樹脂などの絶縁性材料からなり、端子収容室３９と、ロックアーム４１とを備えている。
【００３７】
端子収容室３９は、第２ハウジング７の内部に、第１ハウジング５との嵌合方向に向けて延設され、幅方向に複数列設けられると共に、高さ方向に複数段設けられている。
【００３８】
この端子収容室３９には、電線４３の端末部に電気的に接続されたタブ状の接続部を有する雄型端子からなる第２端子４５がそれぞれ収容される。
【００３９】
なお、端子収容室３９内には、第２端子４５と係合する係止ランス（不図示）やスペーサ４７が設けられており、端子収容室３９からの第２端子４５の抜け止めがなされる。
【００４０】
ロックアーム４１は、第２ハウジング７の高さ方向の一側に、撓み可能に設けられ、ロック部４９と、操作部５１とを備えている。
【００４１】
ロック部４９は、ロックアーム４１の中央部に突設され、第１ハウジング５と第２ハウジング７とが嵌合した状態で、ロックアーム４１が撓んだ後の復元力によって、第１ハウジング５に設けられた被ロック部（不図示）に係合される。
【００４２】
このロック部４９と被ロック部との係合により、第１ハウジング５と第２ハウジング７との嵌合解除方向の移動が規制され、第１ハウジング５と第２ハウジング７との嵌合状態を保持することができる。
【００４３】
操作部５１は、ロックアーム４１の自由端側に設けられ、下方に向けて押圧されることより、ロックアーム４１を撓ませ、ロック部４９と被ロック部との係合を解除させる。
【００４４】
この操作部５１によるロック部４９と被ロック部との係合解除により、第２ハウジング７を第１ハウジング５から取り外すことができる。
【００４５】
このような第２ハウジング７は、パネル３に第１ハウジング５が組付けられた状態で、第１ハウジング５に嵌合され、第１端子３５と第２端子４５とが電気的に接続される。
【００４６】
このように第１ハウジング５と嵌合可能な第２ハウジング７は、被水領域に配置されており、その外周がグロメット１１によって覆われて防水される。
【００４７】
グロメット１１は、ゴムなどの弾性材料からなり、第２ハウジング７を収容可能なように筒状に形成された本体部５３と、本体部５３の一端側に設けられた引出部５５と、本体部５３の他端側に設けられたリップ部９と、リップ部９に隣接して設けられた装着部５７とを備えている。
【００４８】
引出部５５は、本体部５３の一側からパネル３と反対側に向けて筒状に延設され、第２ハウジング７から引き出された複数の電線４３が挿通される。
【００４９】
この引出部５５は、挿通された複数の電線４３の外周に密着され、複数の電線４３に沿って水などが本体部５３内に浸入することを防止し、本体部５３に収容された第２ハウジング７を防水する。
【００５０】
リップ部９は、本体部５３の他側に弾性変形可能に環状に設けられ、第１ハウジング５と第２ハウジング７とが正規に嵌合した状態で、パネル３の表面に密着される。
【００５１】
このリップ部９は、外径がパネル３の組付穴２５の内径や第１ハウジング５のパネル取付部２９の外径より大径に設定され、パネル３の表面に密着することにより、本体部５３に収容された第２ハウジング７を防水すると共に、パネル３の第２ハウジング７側から組付穴２５を介して第１ハウジング５側への水などの浸入を防止し、パネル３の第１ハウジング５側を防水する。
【００５２】
装着部５７は、本体部５３のリップ部９に対してパネル３と反対側に隣接して設けられ、第２ハウジング７より大きな外径を有するように環状に形成され、内部に周方向に連続する溝部が設けられている。
【００５３】
この装着部５７には、第２ハウジング７の外周に組付けられたフランジ部１３が溝部に密着して係合するように組付けられる。
【００５４】
フランジ部１３は、合成樹脂などの絶縁性材料からなり、内周側に第２ハウジング７が配置されるように、環状に形成されている。
【００５５】
このフランジ部１３には、幅方向の両側に軸部５９，５９が設けられ、第２ハウジング７の両側壁に設けられた軸孔６１，６１に軸部５９，５９を係合することにより、第２ハウジング７の外周にフランジ部１３が回動可能に組付けられる。
【００５６】
このようなフランジ部１３は、パネル３の平面方向に対して、フランジ部１３の軸部５９と反対側がパネル３側に向けて傾斜した状態で、第２ハウジング７の外周に組付けられる。
【００５７】
この第２ハウジング７に対するフランジ部１３の傾斜した状態の組付位置は、第２ハウジング７とフランジ部１３との間に設けられた係合部１７と、被係合部１９との係合によって保持される。
【００５８】
係合部１７は、フランジ部１３の軸部５９が設けられた面と反対側の面でフランジ部１３の幅方向の両側に撓み可能に設けられている。
【００５９】
被係合部１９は、第２ハウジング７の両側壁に、係合部１７，１７と対向する部分に設けられた孔部となっている。
【００６０】
この係合部１７と被係合部１９とは、フランジ部１３を第２ハウジング７の外周に組付けることによって係合し、フランジ部１３の軸部５９と反対側（係合部１７側）がパネル３から離間する方向、或いはパネル３に近接する方向への移動が規制され、パネル３に対して傾斜した状態である第２ハウジング７に対するフランジ部１３の仮係止位置でフランジ部１３を保持する。
【００６１】
ここで、第２ハウジング７には、フランジ部１３の軸部５９側と対向する幅方向の両側に、フランジ部１３の過大な回動を規制する規制部２３が設けられている。
【００６２】
この規制部２３は、フランジ部１３の係合部１７側が、パネル３側に向けて移動しようとするとき、フランジ部１３の軸部５９側と当接し、フランジ部１３の回動を規制して、第２ハウジング７に対するフランジ部１３の仮係止位置を保持する。
【００６３】
このように規制部２３によって、フランジ部１３の過大な回動を規制することにより、フランジ部１３の仮係止位置を的確に位置決めすることができると共に、フランジ部１３の周辺に無駄な回動スペースを設ける必要がない。
【００６４】
なお、規制部２３は、ロックアーム４１を保護する保護壁に設けられ、保護壁にロックアーム４１の保護機能と規制部２３としての機能とを兼用させているが、保護壁とは別に、規制部２３のみの機能を有する部分を第２ハウジング７に設けてもよい。
【００６５】
このように仮係止位置で保持されたフランジ部１３に対して装着部５７でグロメット１１を組付けることにより、グロメット１１のリップ部９がパネル３に対して傾斜した状態となる。
【００６６】
このパネル３に対して傾斜した状態で保持されたグロメット１１のリップ部９は、第１ハウジング５と第２ハウジング７とが正規に嵌合した状態で、嵌合検知手段１５によって、フランジ部１３が回動可能となり、フランジ部１３の回動によってパネル３の表面に密着される。
【００６７】
この嵌合検知手段１５は、第１ハウジング５と第２ハウジング７とが正規に嵌合していない状態では、第２ハウジング７に対してフランジ部１３を回動させず、リップ部９の傾斜状態を保持し、作業者などに対して第１ハウジング５と第２ハウジング７とが正規に嵌合していないことを知らせる。
【００６８】
一方、嵌合検知手段１５は、第１ハウジング５と第２ハウジング７とが正規に嵌合している状態では、第２ハウジング７に対してフランジ部１３を回動させ、リップ部９がパネル３に対して平行となってパネル３の表面に密着し、作業者などに対して第１ハウジング５と第２ハウジング７とが正規に嵌合していることを知らせる。
【００６９】
このように嵌合検知手段１５は、第２ハウジング７に対するフランジ部１３の回動の可否によって、第１ハウジング５と第２ハウジング７との嵌合状態を容易に検出することができ、第２ハウジング７を第１ハウジング５から離脱させる方向に引っ張るなどの作業が必要なく、嵌合状態の検知作業が煩雑となることがない。
【００７０】
このような嵌合検知手段１５は、第１ハウジング５に設けられた解除部２１を有している。
【００７１】
解除部２１は、第１ハウジング５の両側壁に、フランジ部１３の係合部１７，１７と対応する位置に設けられた凹部となっている。
【００７２】
この解除部２１は、第１ハウジング５と第２ハウジング７とが正規嵌合状態となるとき、詳細にはロックアーム４１のロック部４９が被ロック部に乗り上げたとき、第２ハウジング７の側壁と係合部１７との間に挿入され、係合部１７を第２ハウジング７の外方に向けて撓ませる。
【００７３】
この解除部２１による係合部１７の撓みにより、係合部１７と被係合部１９との係合が解除され、第２ハウジング７に対してフランジ部１３を回動可能とすることができる。
【００７４】
そして、フランジ部１３が回動可能となった状態で、第１ハウジング５と第２ハウジング７とが正規嵌合状態となったときに、第２ハウジング７に対してフランジ部１３が回動し、リップ部９がパネル３と平行となってパネル３の表面に密着される。
【００７５】
一方、解除部２１は、第１ハウジング５と第２ハウジング７とが正規嵌合状態に至らず半嵌合状態であるとき、係合部１７に到達することがない。
【００７６】
このため、係合部１７は、撓むことがなく、係合部１７と被係合部１９との係合が保持され、第２ハウジング７に対してフランジ部１３が回動できず、パネル３に対してリップ部９が傾斜した状態となっており、リップ部９がパネル３の表面に密着されない。
【００７７】
なお、フランジ部１３が回動可能となった状態で、第１ハウジング５と第２ハウジング７との嵌合を終えたときには、パネル３に対してリップ部９が傾斜した状態となっているので、第１ハウジング５と第２ハウジング７とが正規に嵌合していないことを検出することができる。
【００７８】
このように第１ハウジング５に解除部２１を設けることにより、第１ハウジング５と第２ハウジング７との嵌合状態に合わせて、安定して係合部１７と被係合部１９との係合解除の可否を行うことができ、フランジ部１３（リップ部９）の傾斜状態による第１ハウジング５と第２ハウジング７との嵌合状態の検出を安定して行うことができる。
【００７９】
なお、フランジ部１３は、第１ハウジング５と第２ハウジング７とが正規に嵌合した状態で、軸部５９側のリップ部９がパネル３に密着されているので、フランジ部１３の係合部１７側がパネル３から離間する方向に回動することがないが、リップ部９とパネル３との密着性を保持するために、第２ハウジング７とフランジ部１３の係合部１７側との間に、フランジ部１３の回動を規制する係合手段などを設けてもよい。
【００８０】
このようなコネクタ１における組付けは、まず、パネル３に第１ハウジング５を組付け、第２ハウジング７にフランジ部１３を組付け、フランジ部１３にグロメット１１を装着する。
【００８１】
次に、第１ハウジング５に対して第２ハウジング７を嵌合させ、フランジ部１３（リップ部９）の傾斜状態を確認する。
【００８２】
そして、フランジ部１３がパネル３と平行でリップ部９がパネル３に密着している場合には、組付けを完了し、フランジ部１３がパネル３に対して傾斜し、リップ部９がパネル３に密着していない場合には、フランジ部１３がパネル３と平行となり、リップ部９がパネル３に密着するまで、第２ハウジング７を第１ハウジング５に嵌合させ、組付けを完了する。
【００８３】
このようなコネクタ１では、第１ハウジング５と第２ハウジング７とが正規に嵌合した状態でフランジ部１３を回動可能としリップ部９をパネル３に密着させる嵌合検知手段１５を有するので、第１ハウジング５と第２ハウジング７との正規嵌合状態ではフランジ部１３が回動され、リップ部９がパネルに密着される。
【００８４】
一方、第１ハウジング５と第２ハウジング７とが正規に嵌合していない状態では、フランジ部１３が回動されず、リップ部９がパネル３に密着されない。
【００８５】
従って、このようなコネクタ１では、第１ハウジング５と第２ハウジング７との嵌合状態をフランジ部１３の回動の可否によって検出することができ、第１ハウジング５と第２ハウジング７との嵌合状態を容易に検知することができる。
【００８６】
また、嵌合検知手段１５は、第１ハウジング５に設けられ、係合部１７を撓ませ係合部１７と被係合部１９との係合を解除させる解除部２１を有するので、第１ハウジング５と第２ハウジング７との嵌合状態に合わせて、係合部１７と被係合部１９との係合解除の可否を安定して行うことができる。
【００８７】
さらに、第２ハウジング７には、フランジ部１３の過大な回動を規制する規制部２３が設けられているので、フランジ部１３の回動スペースを制限することができ、大型化を抑制することができる。
【００８８】
なお、本発明の実施の形態に係るコネクタでは、フランジ部の係合部側がパネル側に向けて傾斜して配置されているが、これに限らず、フランジ部の係合部側をパネルから離間する方向に向けて傾斜して配置してもよい。
【００８９】
この場合には、第１ハウジングに設けられた解除部を、第２ハウジング側に向けて延設し、第１ハウジングと第２ハウジングとが正規に嵌合した状態で、解除部が係合部を撓ませるようにすればよい。
【００９０】
このような場合には、第１ハウジングと第２ハウジングとの嵌合状態の検出を、第１ハウジングと第２ハウジングとを嵌合させた後、フランジ部の回動の可否によって行うことができる。
【００９１】
詳細には、フランジ部を回動させてリップ部をパネルに密着できる場合には、第１ハウジングと第２ハウジングとが正規に嵌合した状態であり、フランジ部を回動させることができない場合には、第１ハウジングと第２ハウジングとが正規に嵌合していない状態である。
【００９２】
また、係合部は、フランジ部に設けられ、被係合部は、第２ハウジングに設けられているが、これに限らず、係合部を第２ハウジングに設け、被係合部をフランジ部に設けてもよい。
【符号の説明】
【００９３】
１…コネクタ
３…パネル
５…第１ハウジング
７…第２ハウジング
９…リップ部
１１…グロメット
１３…フランジ部
１５…嵌合検知手段
１７…係合部
１９…被係合部
２１…解除部
２３…規制部
【図１】
2020202017.tif 000003
【図２】
2020202017.tif 000004
【図３】
2020202017.tif 000005
【図４】
2020202017.tif 000006
【図５】
2020202017.tif 000007
【図６】
2020202017.tif 000008
【図７】
2020202017.tif 000009
【図８】
2020202017.tif 000010
【図９】
2020202017.tif 000011
【図１０】
2020202017.tif 000012
【図１１】
2020202017.tif 000013